(57)【要約】【課題】劇場の舞台照明のような演出効果を擬似的に実現する周辺照明機能を有するテレビジョン装置を実現する。【解決手段】  表示装置１０は、画像を表示する表示部１と、該表示部の周辺が光るように構成された発光部２を備え、該発光部２は、表示部１の裏面に、表示部１の光源とは別に配備された光源Ｌ（Ｌ１〜Ｌ６）と、該光源Ｌからの光を表示部１の周辺部に導く導光板２４を含み、導光板２４は、表示部１の裏面において、光源Ｌから表示部１の端面に延在する第１部分と、表示部１の端面を覆うように設けられ、光出射面２７を有する第２部分を備えることを特徴とする、【選択図】図４
2014126571.tif 000002
【特許請求の範囲】
【請求項１】
画像を表示する表示部と、
該表示部の周辺が光るように構成された発光部を備え、
該発光部は、表示部の裏面に、該表示部の光源とは別に配備された光源と、該光源からの光を表示部の周辺部に導く導光板を含み、
該導光板は、表示部の裏面において、光源から表示部の周辺に向かって延在する第１部分と、該第１部分を通過した光の少なくとも一部を屈折させ出射させる第２部分
を備えることを特徴とする、表示装置。
【発明の詳細な説明】
【技術分野】
【０００１】
本発明は、表示部の周辺部に発光部を設けた表示装置に関する。
【背景技術】
【０００２】
液晶テレビやプラズマテレビは、ニュース等の情報番組、映画、音楽などの娯楽番組を提供する装置として普及している。これらのテレビでは、大画面化、高画質化、高音質化が進んでおり、家庭でも映画館並みの迫力の映像を味わうことも可能となっている。更に、特許文献１では、劇場の舞台照明のような演出効果を擬似的に実現すべく、テレビに周辺照明を加える技術が開示されている。
【先行技術文献】
【特許文献】
【０００３】
【特許文献１】特表２００７−５２５８００号公報
【発明の概要】
【発明が解決しようとする課題】
【０００４】
特許文献１では、コンテンツ内容に適した周辺照明を行う技術が開示されているが、周辺照明を具体的に実現するテレビジョン装置の構造については、開示されていない。本出願では、この周辺照明を実現するテレビジョン装置の構造、ならびにその外観を示すものである。
【課題を解決するための手段】
【０００５】
本発明の表示装置は、画像を表示する表示部と、該表示部の周辺が光るように構成された発光部を備え、該発光部は、表示部の裏面に、該表示部の光源とは別に配備された光源と、該光源からの光を表示部の周辺部に導く導光板を含み、該導光板は、表示部の裏面において、光源から表示部の端面に延在する第１部分と、表示部の端面を覆うように設けられ、光出射面を有する第２部分を備えることを特徴とする。
【発明の効果】
【０００６】
本発明によれば、劇場の舞台照明のような演出効果を擬似的に実現する周辺照明機能を有するテレビジョン装置を実現する。
【図面の簡単な説明】
【０００７】
【図１】表示装置１０の前面斜視図である。
【図２】表示装置１０の使用イメージ図である。
【図３】表示装置１０の正面図である。
【図４】光源部Ｌ１近傍の正面斜視図である。
【図５】光源部Ｌ１近傍の垂直断面図である。
【図６】表示装置１０の周辺部が点滅している態様を示す図である。
【図７】表示装置１０の外観を説明する第１の図である。
【図８】表示装置１０の正面図である。
【図９】表示装置１０の平面図である。
【図１０】表示装置１０の左側面図である。
【図１１】表示装置１０の右側面図である。
【図１２】表示装置１０の底面図である。
【図１３】表示装置１０のＡ−Ａ’端面図であり、内部機構を省略して記載した図である。
【図１４】表示装置１０のＢ−Ｂ’端面図であり、内部機構を省略して記した図である。
【図１５】表示装置１０の背面図である。
【図１６】表示装置１０の斜視図である。
【図１７】表示装置１０の外観を説明する第２の図である。
【図１８】表示装置１０のＣ−Ｃ’、Ｄ−Ｄ’部分拡大図である。
【図１９】表示装置１０のＥ−Ｅ’、Ｆ−Ｆ’部分拡大図である。
【図２０】表示装置１０の透光部を示す参考斜視図である。
【図２１】表示装置１０の周辺発光部２の発光を説明する図である。
【図２２】表示装置６０の外観を説明する第１の図である。
【図２３】表示装置６０の正面図である。
【図２４】表示装置６０の平面図である。
【図２５】表示装置６０の左側面図である。
【図２６】表示装置６０の右側面図である。
【図２７】表示装置６０の底面図である。
【図２８】表示装置６０のＡ−Ａ’端面図であり、内部機構を省略して記載した図である。
【図２９】表示装置６０のＢ−Ｂ’端面図であり、内部機構を省略して記した図である。
【図３０】表示装置６０の背面図である。
【図３１】表示装置６０の斜視図である。
【図３２】表示装置６０の外観を説明する第２の図である。
【図３３】表示装置６０のＣ−Ｃ’、Ｄ−Ｄ’部分拡大図である。
【図３４】表示装置６０のＥ−Ｅ’、Ｆ−Ｆ’部分拡大図である。
【図３５】表示装置６０の透光部を示す参考斜視図である。
【図３６】表示装置６０の透光部を示す背面参考斜視図である。
【図３７】表示装置６０の発光する部分を示す背面参考斜視図である。
【図３８】表示装置６０の周辺発光部の発光を説明する図である。
【図３９】表示装置７０の外観を説明する第１の図である。
【図４０】表示装置７０の正面図である。
【図４１】表示装置７０の平面図である。
【図４２】表示装置７０の左側面図である。
【図４３】表示装置７０の右側面図である。
【図４４】表示装置７０の底面図である。
【図４５】表示装置７０のＡ−Ａ’端面図であり、内部機構を省略して記載した図である。
【図４６】表示装置７０のＢ−Ｂ’端面図であり、内部機構を省略して記した図である。
【図４７】表示装置７０の背面図である。
【図４８】表示装置７０の斜視図である。
【図４９】表示装置７０の外観を説明する第２の図である。
【図５０】表示装置７０のＣ−Ｃ’、Ｄ−Ｄ’部分拡大図である。
【図５１】表示装置７０のＥ−Ｅ’、Ｆ−Ｆ’部分拡大図である。
【図５２】表示装置７０の透光部を示す参考斜視図である。
【図５３】表示装置７０の透光部を示す背面参考斜視図である。
【図５４】表示装置７０の発光する部分を示す背面参考斜視図である。
【図５５】表示装置７０の周辺発光部の発光を説明する図である。
【図５６】表示装置８０の外観を説明する第１の図である。
【図５７】表示装置８０の正面図である。
【図５８】表示装置８０の平面図である。
【図５９】表示装置８０の左側面図である。
【図６０】表示装置８０の右側面図である。
【図６１】表示装置８０の底面図である。
【図６２】表示装置８０のＡ−Ａ’端面図であり、内部機構を省略して記載した図である。
【図６３】表示装置８０のＢ−Ｂ’端面図であり、内部機構を省略して記した図である。
【図６４】表示装置８０の背面図である。
【図６５】表示装置８０のＣ−Ｃ’、Ｄ−Ｄ’部分拡大図である。
【図６６】表示装置８０のＥ−Ｅ’、Ｆ−Ｆ’部分拡大図である。
【図６７】表示装置８０の外観を説明する第２の図である。
【図６８】表示装置８０の斜視図である。
【図６９】表示装置８０の透光部を示す参考斜視図である。
【図７０】表示装置８０の透光部を示す背面参考斜視図である。
【図７１】表示装置８０の周辺発光部の発光を説明する図である。
【図７２】表示装置１１０の外観を説明する第１の図である。
【図７３】表示装置１１０の正面図である。
【図７４】表示装置１１０の平面図である。
【図７５】表示装置１１０の右側面図である。
【図７６】表示装置１１０の底面図である。
【図７７】表示装置１１０のＡ−Ａ’端面図であり、内部機構を省略して記載した図である。
【図７８】表示装置１１０のＢ−Ｂ’端面図であり、内部機構を省略して記した図である。
【図７９】表示装置１１０の背面図である。
【図８０】表示装置１１０の透光部を示す参考斜視図である。
【図８１】表示装置１１０の透光部を示す背面参考斜視図である。
【図８２】表示装置１１０の外観を説明する第２の図である。
【図８３】表示装置１１０の左側面図である。
【図８４】表示装置１１０の斜視図である。
【図８５】表示装置１１０のＣ−Ｃ’  Ｄ−Ｄ’部分拡大図である。
【図８６】表示装置１１０のＣ−Ｃ’  Ｅ−Ｅ’部分拡大図である。
【図８７】表示装置１１０のＦ−Ｆ’  Ｇ−Ｇ’拡大端面図である。
【図８８】表示装置１１０のＦ−Ｆ’  Ｈ−Ｈ’拡大端面図である。
【図８９】表示装置１１０のＪ−Ｊ’  Ｉ−Ｉ’拡大端面図である。
【図９０】表示装置１１０の周辺発光部の発光を説明する図である。
【図９１】表示装置１１０のスタンド１１８の発光を説明する図である。
【図９２】表示装置１２０の外観を説明する第１の図である。
【図９３】表示装置１２０のＢ−Ｂ’端面図であり、内部機構を省略して記載した図である。
【図９４】表示装置１２０の平面図である。
【図９５】表示装置１２０の左側面図である。
【図９６】表示装置１２０の正面図である。
【図９７】表示装置１２０の底面図である。
【図９８】表示装置１２０の右側面図である。
【図９９】表示装置１２０のＡ−Ａ’端面図であり、内部機構を省略して記載した図である。
【図１００】表示装置１２０の背面図である。
【図１０１】表示装置１２０のＣ−Ｃ’  Ｄ−Ｄ’部分拡大図である。
【図１０２】表示装置１２０のＥ−Ｅ’  Ｆ−Ｆ’部分拡大図である。
【図１０３】表示装置１２０の外観を説明する第２の図である。
【図１０４】表示装置１２０の斜視図である。
【図１０５】表示装置１２０の透光部を示す参考斜視図である。
【図１０６】表示装置１２０の発光する部分を示す参考斜視図である。
【図１０７】表示装置１２０の周辺発光部の発光を説明する図である。
【図１０８】表示装置１３０の外観を説明する第１の図である。
【図１０９】表示装置１３０の平面図である。
【図１１０】表示装置１３０の左側面図である。
【図１１１】表示装置１３０の正面図である。
【図１１２】表示装置１３０の右側面図である。
【図１１３】表示装置１３０のＡ−Ａ’端面図であり、内部機構を省略して記載した図である。
【図１１４】表示装置１３０の底面図である。
【図１１５】表示装置１３０の背面図である。
【図１１６】表示装置１３０の斜視図である
【図１１７】表示装置１３０の外観を説明する第２の図である。
【図１１８】表示装置１３０の透光部を示す参考斜視図である。
【図１１９】表示装置１３０の発光する部分を示す参考斜視図である。
【図１２０】表示装置１３０のＣ−Ｃ’  Ｄ−Ｄ’部分拡大図である。
【図１２１】表示装置１３０のＥ−Ｅ’  Ｆ−Ｆ’部分拡大図である。
【図１２２】表示装置１３０の発光する部分を示す背面参考斜視図である。
【図１２３】表示装置１３０の周辺発光部の発光を説明する図である。
【図１２４】表示装置１４０の外観を説明する第１の図である。
【図１２５】表示装置１４０の平面図である。
【図１２６】表示装置１４０の左側面図である。
【図１２７】表示装置１４０の正面図である。
【図１２８】表示装置１４０の底面図である。
【図１２９】表示装置１４０の右側面図である。
【図１３０】表示装置１４０のＡ−Ａ’端面図であり、内部機構を省略して記載した図である。
【図１３１】表示装置１４０の背面図である。
【図１３２】表示装置１４０の斜視図である
【図１３３】表示装置１４０の外観を説明する第２の図である。
【図１３４】表示装置１４０の透光部を示す参考斜視図である。
【図１３５】表示装置１４０のＣ−Ｃ’  Ｄ−Ｄ’部分拡大図である。
【図１３６】表示装置１４０のＥ−Ｅ’  Ｆ−Ｆ’部分拡大図である。
【図１３７】表示装置１４０の発光する部分を示す参考斜視図である。
【図１３８】表示装置１４０の発光する部分を示す背面参考斜視図である。
【図１３９】表示装置１４０の周辺発光部の発光を説明する図である。
【図１４０】表示装置１５０の外観を説明する第１の図である。
【図１４１】表示装置１５０の平面図である。
【図１４２】表示装置１５０の左側面図である。
【図１４３】表示装置１５０の正面図である。
【図１４４】表示装置１５０の右側面図である。
【図１４５】表示装置１５０のＡ−Ａ’端面図であり、内部機構を省略して記載した図である。
【図１４６】表示装置１５０の底面図である。
【図１４７】表示装置１５０のＢ−Ｂ’端面図であり、内部機構を省略して記載した図である。
【図１４８】表示装置１５０の背面図である。
【図１４９】表示装置１５０の斜視図である
【図１５０】表示装置１５０の外観を説明する第２の図である。
【図１５１】表示装置１５０の透光部を示す参考斜視図である。
【図１５２】表示装置１５０の発光する部分を示す参考斜視図である。
【図１５３】表示装置１５０のＣ−Ｃ’  Ｄ−Ｄ’部分拡大図である。
【図１５４】表示装置１５０のＥ−Ｅ’  Ｆ−Ｆ’部分拡大図である。
【図１５５】表示装置１５０の発光する部分を示す背面参考斜視図である。
【図１５６】表示装置１５０の周辺発光部の発光を説明する図である。
【図１５７】表示装置１６０の外観を説明する第１の図である。
【図１５８】表示装置１６０の平面図である。
【図１５９】表示装置１６０の左側面図である。
【図１６０】表示装置１６０の正面図である。
【図１６１】表示装置１６０の右側面図である。
【図１６２】表示装置１６０のＡ−Ａ’端面図であり、内部機構を省略して記載した図である。
【図１６３】表示装置１６０の底面図である。
【図１６４】表示装置１６０の背面図である。
【図１６５】表示装置１６０の斜視図である
【図１６６】表示装置１６０の外観を説明する第２の図である。
【図１６７】表示装置１６０のＣ−Ｃ’  Ｄ−Ｄ’部分拡大図である。
【図１６８】表示装置１６０のＥ−Ｅ’  Ｆ−Ｆ’部分拡大図である。
【図１６９】表示装置１６０の透光部を示す参考斜視図である。
【図１７０】表示装置１６０の発光する部分を示す参考斜視図である。
【図１７１】表示装置１６０の発光する部分を示す背面参考斜視図である。
【図１７２】表示装置１６０の周辺発光部の発光を説明する図である。
【発明を実施するための形態】
【０００８】
以下、本発明の実施例である表示装置について、図面を参照して説明する。
【０００９】
＜第1の実施形態＞
（表示装置１０の構造）
図１は、表示装置１０の前面斜視図である。表示装置１０は、液晶パネル等で構成される表示部１、及び表示部１を収納するための筐体の前側部分であるフロントキャビネット３、及びフロントキャビネット３の外側、即ち表示部１の側部四辺に設けられた周辺発光部２を備えている。同図（ａ）は、周辺発光部２が発光していない場合の図であり、同図（ｂ）は周辺発光部２が発光している場合を示す図である。
【００１０】
図２は、表示装置１０の使用イメージ図である。テレビの外装部分に光を取り入れることにより、インテリアと調和したデザインが実現される。また、周辺発光部２の発光により、メール到着や機器故障の報知を実現することもできる。
【００１１】
図３は、表示装置１０の正面図である。周辺発光部２では、上下側に各２組、左右に各１組の光源部が備えられる。表示部１の上側裏面部には、左側に光源部Ｌ１が、右側に光源部Ｌ２が備えられる。表示部１の左側裏面部には、中央部分に光源部Ｌ３が備えられる。表示部１の右側裏面部には、中央部分に光源部Ｌ４が備えられる。表示部１の下側裏面部には、左側に光源部Ｌ５が、右側に光源部Ｌ６が備えられる。なお、これらの光源は、液晶パネル等の表示部１で用いられている光源（いわゆるバックライト）とは別途設けられたものである。
【００１２】
図４は、上記光源部の詳細を説明するための図であり、光源部Ｌ１近傍の正面斜視図で
ある。  光源部Ｌ２の構成も光源部Ｌ１と同様であり、また、光源部Ｌ３〜Ｌ６についても、向きの違いはあるが、構成自体は同様である。したがって、以下では光源部Ｌ１を例に光源部の詳細を説明する。
【００１３】
光源部Ｌ１は、ＬＥＤ光源２２ａ、２２ｂを備える。各ＬＥＤ光源２２は、赤、青、緑の、三色のＬＥＤからなる。ＬＥＤ光源２２ａの各ＬＥＤは左方に光を出射する。ＬＥＤ光源２２ｂの各ＬＥＤは右方に光を出射する。ＬＥＤ光源２２から出射した光は導光板２４に入射する。一部の光は側方へ進み、一部の光は上方へ進む。このうち、上方へ進んだ光は上面２５、２６等で屈折して前方へ進み、傾斜面２７からやや斜め上方に向けて出射される。即ち、傾斜面２７が光って見えることとなる。したがって、表示装置１０の視聴者から見れば、あたかも表示部１の上側の枠部が光るような態様で見えることとなる。
【００１４】
上記構成において、光源部Ｌ１、Ｌ２の各ＬＥＤが光った場合、各光源部からの光は導光板２４内を、左右に、又、上方向に拡散することとなるため、その結果、周辺発光部２のうち、表示部１の上側の枠全体が光ることとなる。同様に、光源部Ｌ３の各ＬＥＤが光ることで、周辺発光部２のうち、表示部１の左側の枠全体が光ることとなる。また、光源部Ｌ４の各ＬＥＤが光ることで、周辺発光部２のうち、表示部１の右側の枠全体が光ることとなる。そして、光源部Ｌ５、Ｌ６の各ＬＥＤが光ることで、周辺発光部２のうち、表示部１の下側の枠全体が光ることとなる。
【００１５】
図５は、光源部Ｌ１近傍を他の角度から見たときの垂直断面図である。即ち、図３におけるＡ−Ａ’線に沿う断面図のうち、上側部分を示したものである。同図のように導光板２４は、略Ｌ字型の断面形状を有している。導光板２４の下側部分は、フロントキャビネット３の背面と、バックキャビネット４の前面とで挟まれるような態様となっている。また、導光板２４の上側部分はフロントキャビネット３の上面に乗せられたような態様となっている。導光板２４の下方にはＬＥＤ光源２２がある。ＬＥＤ光源２２の下方には、このＬＥＤ光源２２を駆動するためのＬＥＤ駆動回路基板２８がある。また、ＬＥＤ駆動回路基板２８の背面側下方にはコネクタ２９が装着されている。このコネクタ２９は、所謂メインボードからの信号線を接続するためのものである。
【００１６】
また、周辺発光部２の発光は、点滅する態様で光るものでも良いし、所定時間の間、一定輝度で光るものであっても良い。点滅する態様の場合、図６の（ａ）（ｂ）で示す状態が交互に繰り返されることとなる。
【００１７】
（表示装置１０の外観）
図７は、表示装置１０の外観を説明する第１の図である。図８から図１６は、図７の各部分の拡大図である。図８は、表示装置１０の正面図である。図９は、表示装置１０の平面図である。図１０は、表示装置１０の左側面図である。図１１は、表示装置１０の右側面図である。図１２は、表示装置１０の底面図である。図１３は、表示装置１０の図７におけるＡ−Ａ’端面図であり、内部機構を省略して記載した図である。図１４は、表示装置１０の図７におけるＢ−Ｂ’端面図であり、内部機構を省略して記した図である。図１５は、表示装置１０の背面図である。図１６は、表示装置１０の斜視図である。
【００１８】
図１７は、表示装置１０の外観を説明する第２の図である。図１８から図２０は、図１７の各部分の拡大図である。図１８は、表示装置１０のＣ−Ｃ’、Ｄ−Ｄ’部分拡大図である。図１９は、表示装置１０のＥ−Ｅ’、Ｆ−Ｆ’部分拡大図である。図２０は、表示装置１０の透光部を示す参考斜視図である。
【００１９】
図２１は、表示装置１０の周辺発光部２の発光を説明する図である。同図のように、導光板２７の下方に設けられた光源部Ｌからの光は、表示装置１０の上辺においては、導光
板２４の上面側の斜面２７から前方斜め上方向に向かって出射する。また、表示装置１０の左辺では、左斜め前方に出射し、右辺では、右斜め前方に出射する。表示装置１０の下辺では、表示装置１０の前方斜め下方向に出射する。その結果、全体としては、あたかも表示装置１０の外側に光が広がったような態様で発光することとなる。
【００２０】
＜第２の実施形態＞  
図２２は、表示装置６０の外観を説明する第１の図である。図２３から図３１は、図２２の各部分の拡大図である。図２３は、表示装置６０の正面図である。図２４は、表示装置６０の平面図である。図２５は、表示装置６０の左側面図である。図２６は、表示装置６０の右側面図である。図２７は、表示装置６０の底面図である。図２８は、表示装置６０のＡ−Ａ’端面図であり、内部機構を省略して記載した図である。図２９は、表示装置６０のＢ−Ｂ’端面図であり、内部機構を省略して記した図である。図３０は、表示装置６０の背面図である。図３１は、表示装置６０の斜視図である。
【００２１】
図３２は、表示装置６０の外観を説明する第２の図である。図３３は、表示装置６０のＣ−Ｃ’、Ｄ−Ｄ’部分拡大図である。図３４は、表示装置６０のＥ−Ｅ’、Ｆ−Ｆ’部分拡大図である。図３５は、表示装置６０の透光部を示す参考斜視図である。図３６は、表示装置６０の透光部を示す背面参考斜視図である。図３７は、表示装置６０の発光する部分を示す参考斜視図である。
【００２２】
図３８は、表示装置６０の周辺発光部の発光を説明する図である。同図のように、導光板６３の下方に設けられた光源部Ｌからの光線６５は、導光板６３の上面側の凹部６４から、その凹部６４の中心に集光するように出射する。また、導光板６３の前面側には、液晶パネル６２を保護するための透明な保護ガラス６１が配置される。その結果、視聴者にとっては、表示装置６０の上端が強く光って見えることとなる。同様に、表示装置６０の左辺側、右辺側、下辺側の導光板にも同様に凹部が設けられており、これにより、四辺にわたって表示装置６０の端部が強く光るように見えることとなる。
【００２３】
＜第３の実施形態＞
図３９は、表示装置７０の外観を説明する第１の図である。図４０は、表示装置７０の正面図である。図４１は、表示装置７０の平面図である。図４２は、表示装置７０の左側面図である。図４３は、表示装置７０の右側面図である。図４４は、表示装置７０の底面図である。図４５は、表示装置７０のＡ−Ａ’端面図であり、内部機構を省略して記載した図である。図４６は、表示装置７０のＢ−Ｂ’端面図であり、内部機構を省略して記した図である。図４７は、表示装置７０の背面図である。図４８は、表示装置７０の斜視図である。  
【００２４】
図４９は、表示装置７０の外観を説明する第２の図である。図５０は、表示装置７０のＣ−Ｃ’、Ｄ−Ｄ’部分拡大図である。図５１は、表示装置７０のＥ−Ｅ’、Ｆ−Ｆ’部分拡大図である。図５２は、表示装置７０の透光部を示す参考斜視図である。図５３は、表示装置７０の透光部を示す背面参考斜視図である。図５４は、表示装置７０の発光する部分を示す背面参考斜視図である。
【００２５】
表示装置６０と表示装置７０とを比較すると、表示装置６０では、導光板の上面部に溝が設けられているが、表示装置７０では、溝が無い点で相違する。
【００２６】
図５５は、表示装置７０の周辺発光部による発光を説明する図である。同図のように、導光板７３の下方に設けられた光源部Ｌからの光線７５は、導光板７３の平坦面である上面７４から、この上面７４に対して垂直（又は略垂直）な方向に出射する。また、導光板７３の前面側には、液晶パネル７２を保護するための透明な保護ガラス７１が配置される
。その結果、視聴者にとっては、表示装置７０の上側のフレーム部分がほぼ均等に光って見えることとなる。表示装置７０の左辺側、右辺側、下辺側においても導光板は同様の構成となっている。
【００２７】
＜第４の実施形態＞
図５６は、表示装置８０の外観を説明する第１の図である。図５７は、表示装置８０の正面図である。図５８は、表示装置８０の平面図である。図５９は、表示装置８０の左側面図である。図６０は、表示装置８０の右側面図である。図６１は、表示装置８０の底面図である。図６２は、表示装置８０のＡ−Ａ’端面図であり、内部機構を省略して記載した図である。図６３は、表示装置８０のＢ−Ｂ’端面図であり、内部機構を省略して記した図である。図６４は、表示装置８０の背面図である。図６５は、表示装置８０のＣ−Ｃ’、Ｄ−Ｄ’部分拡大図である。図６６は、表示装置８０のＥ−Ｅ’、Ｆ−Ｆ’部分拡大図である。
【００２８】
図６７は、表示装置８０の外観を説明する第２の図である。図６８は、表示装置８０の斜視図である。図６９は、表示装置８０の透光部を示す参考斜視図である。図７０は、表示装置８０の透光部を示す背面参考斜視図である。
【００２９】
表示装置８０では、導光板８３の断面が凸形状になっており、かつ前面／背面側に傾斜面が設けられている。図７１は、表示装置８０の周辺発光部による発光を説明する図である。同図のように、導光板８３の下方に設けられた光源部Ｌからの光は、導光板８３前面の傾斜面から斜め前方に出射し（光線８５）、導光板８３の凸部の上面から上方に出射し（光線８６）、導光板８３背面の傾斜面から斜め後方に出射する（光線８７）。その結果、視聴者にとっては、出射方向が異なる３種類の光線が重なって見えるため、これにより周辺発光部が奥行き感のある態様で光って見えることとなる。表示装置８０の左辺側、右辺側、下辺側においても同様に、前方の傾斜面と、後方の傾斜面と中央の凸部分から光が出射する。
【００３０】
なお、本例では、導光板８３の前側にあるのは、アルミ等の非透明な材料からなるフロントパネル８１であるため、表示装置７０等とは異なり、導光板８３の部分のみが光って見えることとなる。  
【００３１】
＜第６の実施形態＞
図７２は、表示装置１１０の外観を説明する第１の図である。図７３は、表示装置１１０の正面図である。図７４は、表示装置１１０の平面図である。図７５は、表示装置１１０の右側面図である。図７６は、表示装置１１０の底面図である。図７７は、表示装置１１０のＡ−Ａ’端面図であり、内部機構を省略して記載した図である。図７８は、表示装置１１０のＢ−Ｂ’端面図であり、内部機構を省略して記した図である。図７９は、表示装置１１０の背面図である。図８０は、表示装置１１０の透光部を示す参考斜視図である。図８１は、表示装置１１０の透光部を示す背面参考斜視図である。
【００３２】
図８２は、表示装置１１０の外観を説明する第２の図である。図８３は、表示装置１１０の左側面図である。図８４は、表示装置１１０の斜視図である。図８５は、表示装置１１０のＣ−Ｃ’  Ｄ−Ｄ’部分拡大図である。図８６は、表示装置１１０のＣ−Ｃ’  Ｅ−Ｅ’部分拡大図である。図８７は、表示装置１１０のＦ−Ｆ’  Ｇ−Ｇ’拡大端面図である。図８８は、表示装置１１０のＦ−Ｆ’  Ｈ−Ｈ’拡大端面図である。図８９は、表示装置１１０のＪ−Ｊ’  Ｉ−Ｉ’拡大端面図である。
【００３３】
図９０は、表示装置１１０の周辺発光部による発光を説明する図である。同図に示すように、表示装置１１０の、導光板１１３の形状は、表示装置１０の導光板と同様、フロン
トパネル１１１の上側で前方に向かって折れ曲がった態様となっている。即ち、導光板１１３の上側は、後方にある曲面１１４と、前方にある平坦面１１５からなる。導光板１１３の下方に設けられた光源Ｌからの光は、導光板１１３の下面から入射する。そして、曲面１１４では、下方から垂直に進んだ光が内部反射により前方に屈折する。屈折した光が再び曲面１１４に到達すると、また内部反射して前方に屈折する。その結果、大半の光は導光板１１３の前面１１６から前方に向かって出射することとなる。
【００３４】
なお、導光板１１３からの光の出射方向は、曲面１１４の曲率の設計次第で自在に変更可能である。図８８の例は、曲面１１４の曲率半径を大きくした場合（なだらかな曲面を想定した場合）のものだが、曲率半径を小さくした場合、大半の光は曲面１１４で内部反射せず、殆どが上方向に抜けるものと考えられる。また、曲面１１４の曲率を中程度とすれば、一部の光は曲面１１４で内部反射する一方、一部の光は曲面１１４から上方向に抜ける。また、一部の光は平坦面１１５から斜め前方に抜ける。その結果、導光板１１３全体がまんべんなく光るような態様となると考えられる（例えば、図８０、図８１参照）。なお、表示装置１１０の左辺側、右辺側、下辺側においても同様に、導光板はフロントパネル１１１の外側の部分で前方に向かって折れ曲がった形状となっている。
【００３５】
また、図９１、図８３或いは図８１に示すように、表示装置１１０は、曲面上のスタンド１１８を有している。このスタンドは一部又は全部が透明部材（ガラス或いはアクリル）でできている。また、バックカバーの背面側にはＬＥＤ光源１１７が設けられており、この光源１１７が発光すると、その光がスタンド内を進行する。その結果、図８１で示すようにスタンド部分が光って見えることとなる。
【００３６】
このように、表示部分の周辺部と、スタンド部分の両方が光って見えることにより、より優れた意匠的効果が実現できる。
【００３７】
＜第７の実施形態＞
図９２は、表示装置１２０の外観を説明する第１の図である。図９３は、表示装置１２０のＢ−Ｂ’端面図であり、内部機構を省略して記載した図である。図９４は、表示装置１２０の平面図である。図９５は、表示装置１２０の左側面図である。図９６は、表示装置１２０の正面図である。図９７は、表示装置１２０の底面図である。図９８は、表示装置１２０の右側面図である。図９９は、表示装置１２０のＡ−Ａ’端面図であり、内部機構を省略して記載した図である。図１００は、表示装置１２０の背面図である。図１０１は、表示装置１２０のＣ−Ｃ’  Ｄ−Ｄ’部分拡大図である。図１０２は、表示装置１２０のＥ−Ｅ’  Ｆ−Ｆ’部分拡大図である。
【００３８】
図１０３は、表示装置１２０の外観を説明する第２の図である。図１０４は、表示装置１２０の斜視図である。図１０５は、表示装置１２０の透光部を示す参考斜視図である。図１０６は、表示装置１２０の発光する部分を示す参考斜視図である。
【００３９】
図１０７は、表示装置１２０の周辺発光部による発光を説明する図である。同図に示すように、表示装置１２０の、導光板１２３は、上面側が半球状になっている。その結果、導光板１２３の下方に配置された光源Ｌからの光は、導光板の上面から前後方向に放射状に出射することとなる。表示装置１２０の左辺側、右辺側、下辺側においても同様に、導光板から表示装置１２０の外側に向かって光が放射状に出射する。
【００４０】
＜第８の実施形態＞
図１０８は、表示装置１３０の外観を説明する第１の図である。図１０９は、表示装置１３０の平面図である。図１１０は、表示装置１３０の左側面図である。図１１１は、表示装置１３０の正面図である。図１１２は、表示装置１３０の右側面図である。図１１３
は、表示装置１３０のＡ−Ａ’端面図であり、内部機構を省略して記載した図である。図１１４は、表示装置１３０の底面図である。図１１５は、表示装置１３０の背面図である。図１１６は、表示装置１３０の斜視図である図１１７は、表示装置１３０の外観を説明する第２の図である。
【００４１】
図１１８は、表示装置１３０の透光部を示す参考斜視図である。図１１９は、表示装置１３０の発光する部分を示す参考斜視図である。図１２０は、表示装置１３０のＣ−Ｃ’
Ｄ−Ｄ’部分拡大図である。図１２１は、表示装置１３０のＥ−Ｅ’  Ｆ−Ｆ’部分拡大図である。図１２２は、表示装置１３０の発光する部分を示す背面参考斜視図である。
【００４２】
図１２３は、表示装置１３０の周辺発光部による発光を説明する図である。同図に示すように、表示装置１３０の導光板１３３は、表示装置１３０の上辺側においては、液晶パネル１３２、ガラス等の透明材料からなる液晶パネル１３２の保護部材１３１、及びバックカバー１３６の上に配備される。そして、導光板１３３の前方側の傾斜面１３４からは斜め前方に光が出射し、後方側の傾斜面１３５からは斜め後方に光が出射する。表示装置１３０の左辺側、右辺側、下辺側においても同様に、導光板から前方及び後方斜め方向に光が出射する。その結果、例えば図１１９に示すように表示装置１３０の枠部分が光って見えることとなる。
【００４３】
＜第９の実施形態＞
図１２４は、表示装置１４０の外観を説明する第１の図である。図１２５は、表示装置１４０の平面図である。図１２６は、表示装置１４０の左側面図である。図１２７は、表示装置１４０の正面図である。図１２８は、表示装置１４０の底面図である。図１２９は、表示装置１４０の右側面図である。図１３０は、表示装置１４０のＡ−Ａ’端面図であり、内部機構を省略して記載した図である。図１３１は、表示装置１４０の背面図である。図１３２は、表示装置１４０の斜視図である。
【００４４】
図１３３は、表示装置１４０の外観を説明する第２の図である。図１３４は、表示装置１４０の透光部を示す参考斜視図である。図１３５は、表示装置１４０のＣ−Ｃ’  Ｄ−Ｄ’部分拡大図である。図１３６は、表示装置１４０のＥ−Ｅ’  Ｆ−Ｆ’部分拡大図である。図１３７は、表示装置１４０の発光する部分を示す参考斜視図である。図１３８は、表示装置１４０の発光する部分を示す背面参考斜視図である。
【００４５】
図１３９は、表示装置１４０の周辺発光部による発光を説明する図である。同図に示すように、表示装置１４０の導光板１４３は、表示装置１４０の上辺側においては、液晶パネル１４２、ガラス等の透明材料からなる液晶パネル１４２の保護部材１４１、及びバックカバー１４６の上に配備される。導光板１４３の前方側は凹状の曲面１４４である一方、後方側は凸状の曲面１４５となっている。従い、凹状曲面１４４からの出射光は、該曲面の曲率中心に向かって集光する一方、凸状曲面１４５からの出射光は放射状に出射する。即ち、視聴者から見れば、曲面１４４、１４５からの光が重なって見えることとなり、その結果、奥行き感のある周辺照明が実現されることとなる。表示装置１４０の左辺側、右辺側、下辺側においても同様に、導光板の前側は凹曲面、後側は凸曲面になっており、奥行き感があるように見えることとなる。
【００４６】
＜第１０の実施形態＞
（表示装置１５０の外観）
図１４０は、表示装置１５０の外観を説明する第１の図である。図１４１は、表示装置１５０の平面図である。図１４２は、表示装置１５０の左側面図である。図１４３は、表示装置１５０の正面図である。図１４４は、表示装置１５０の右側面図である。図１４５は、表示装置１５０のＡ−Ａ’端面図であり、内部機構を省略して記載した図である。図
１４６は、表示装置１５０の底面図である。図１４７は、表示装置１５０のＢ−Ｂ’端面図であり、内部機構を省略して記載した図である。図１４８は、表示装置１５０の背面図である。図１４９は、表示装置１５０の斜視図である。
【００４７】
図１５０は、表示装置１５０の外観を説明する第２の図である。図１５１は、表示装置１５０の透光部を示す参考斜視図である。図１５２は、表示装置１５０の発光する部分を示す参考斜視図である。図１５３は、表示装置１５０のＣ−Ｃ’  Ｄ−Ｄ’部分拡大図である。図１５４は、表示装置１５０のＥ−Ｅ’  Ｆ−Ｆ’部分拡大図である。図１５５は、表示装置１５０の発光する部分を示す背面参考斜視図である。
【００４８】
図１５６は、表示装置１５０の周辺発光部による発光を説明する図である。同図に示すように、表示装置１５０の導光板１５３は、表示装置１５０の上辺側においては、液晶パネル１５２、ガラス等の透明材料からなる液晶パネル１５２の保護部材１５１、及びバックカバー１５６の上に配備される。導光板１５３の前方側は保護部材１５１の前面と平行な面１５４であり、後方側は凸状の曲面１５５となっている。そして、導光板１５３の下方に設けられた光源からの光は、専ら凸状曲面１５５から後方に放射状に出射される。また、導光板１５３の前面１５４から出射する光は殆どないが、表示装置１５０の前方にいる視聴者から見れば、曲面１５５から抜ける前の光が前面１５４を通して透けて見える。その結果、表示装置の外枠全体が光って見えるとともに、後方に向かって光が出射するように見えることとなる。換言すれば、例えば表示装置１５０を白い壁を背にして配置した場合、表示装置の枠部分と壁が同じ色で光ることとなる。表示装置１５０の左辺側、右辺側、下辺側においても同様に、導光板の前  BR>、は保護部材１５１と平行な面である一
方、後側は凸曲面になっている。
【００４９】
＜第１１の実施形態＞
（表示装置１６０の外観）
図１５７は、表示装置１６０の外観を説明する第１の図である。図１５８は、表示装置１６０の平面図である。図１５９は、表示装置１６０の左側面図である。図１６０は、表示装置１６０の正面図である。図１６１は、表示装置１６０の右側面図である。図１６２は、表示装置１６０のＡ−Ａ’端面図であり、内部機構を省略して記載した図である。図１６３は、表示装置１６０の底面図である。図１６４は、表示装置１６０の背面図である。図１６５は、表示装置１６０の斜視図である。
【００５０】
図１６６は、表示装置１６０の外観を説明する第２の図である。図１６７は、表示装置１６０のＣ−Ｃ’  Ｄ−Ｄ’部分拡大図である。図１６８は、表示装置１６０のＥ−Ｅ’
Ｆ−Ｆ’部分拡大図である。図１６９は、表示装置１６０の透光部を示す参考斜視図である。図１７０は、表示装置１６０の発光する部分を示す参考斜視図である。図１７１は、表示装置１６０の発光する部分を示す背面参考斜視図である。
【００５１】
図１７２は、表示装置１６０の周辺発光部による発光を説明する図である。同図に示すように、表示装置１６０の導光板１６３は、表示装置１６０の上辺においては、フロントキャビネット１６１の上方に配置される。また、導光板１６３の背面側はバックカバー１６６と接している。導光板１６３の前面１６４は、フロントキャビネット１６１（或いは表示面）と平行である一方、背面側は三段の階段状の面１６５となっている。これにより、導光板１５３の下方に設けられた光源からの光は、３つの階段面１６５から同じ方向（斜め後方）に出射される。また、面１６５から抜ける前の光は、前面１６４を通して透けて見える。その結果、表示装置１５０と同様、表示装置１６０の外枠全体が光って見えるとともに、後方に向かって光が出射するように見えることとなる。表示装置１６０の左辺側、右辺側、下辺側においても同様に、導光板の前側は保護部材１６１と平行な面である一方、後側は階段状の曲面になっている。
【００５２】
以上、本発明の実施例を説明したが、本発明の各部構成は上記実施例に限らず、特許請求の範囲に記載の技術的範囲内で種々の変形が可能である。
【００５３】
例えば、上記実施例では、周辺発光部２は、表示部１の四辺が光るように設けられているが、一辺のみが光るように設けても良い。
【産業上の利用可能性】
【００５４】
本発明は、液晶テレビ、プラズマテレビの画像表示装置などに適用可能である。
【符号の説明】
【００５５】
１  表示部
２  周辺発光部
３  フロントキャビネット
４  バックキャビネット
１０  表示装置
２２  ＬＥＤ光源
２２ａ  ＬＥＤ光源
２２ｂ  ＬＥＤ光源
２４  導光板
２８  ＬＥＤ駆動回路基板
２９  コネクタ
【図１】
2014126571.tif 000003
【図２】
2014126571.tif 000004
【図３】
2014126571.tif 000005
【図４】
2014126571.tif 000006
【図５】
2014126571.tif 000007
【図６】
2014126571.tif 000008
【図７】
2014126571.tif 000009
【図８】
2014126571.tif 000010
【図９】
2014126571.tif 000011
【図１０】
2014126571.tif 000012
【図１１】
2014126571.tif 000013
【図１２】
2014126571.tif 000014
【図１３】
2014126571.tif 000015
【図１４】
2014126571.tif 000016
【図１５】
2014126571.tif 000017
【図１６】
2014126571.tif 000018
【図１７】
2014126571.tif 000019
【図１８】
2014126571.tif 000020
【図１９】
2014126571.tif 000021
【図２０】
2014126571.tif 000022
【図２１】
2014126571.tif 000023
【図２２】
2014126571.tif 000024
【図２３】
2014126571.tif 000025
【図２４】
2014126571.tif 000026
【図２５】
2014126571.tif 000027
【図２６】
2014126571.tif 000028
【図２７】
2014126571.tif 000029
【図２８】
2014126571.tif 000030
【図２９】
2014126571.tif 000031
【図３０】
2014126571.tif 000032
【図３１】
2014126571.tif 000033
【図３２】
2014126571.tif 000034
【図３３】
2014126571.tif 000035
【図３４】
2014126571.tif 000036
【図３５】
2014126571.tif 000037
【図３６】
2014126571.tif 000038
【図３７】
2014126571.tif 000039
【図３８】
2014126571.tif 000040
【図３９】
2014126571.tif 000041
【図４０】
2014126571.tif 000042
【図４１】
2014126571.tif 000043
【図４２】
2014126571.tif 000044
【図４３】
2014126571.tif 000045
【図４４】
2014126571.tif 000046
【図４５】
2014126571.tif 000047
【図４６】
2014126571.tif 000048
【図４７】
2014126571.tif 000049
【図４８】
2014126571.tif 000050
【図４９】
2014126571.tif 000051
【図５０】
2014126571.tif 000052
【図５１】
2014126571.tif 000053
【図５２】
2014126571.tif 000054
【図５３】
2014126571.tif 000055
【図５４】
2014126571.tif 000056
【図５５】
2014126571.tif 000057
【図５６】
2014126571.tif 000058
【図５７】
2014126571.tif 000059
【図５８】
2014126571.tif 000060
【図５９】
2014126571.tif 000061
【図６０】
2014126571.tif 000062
【図６１】
2014126571.tif 000063
【図６２】
2014126571.tif 000064
【図６３】
2014126571.tif 000065
【図６４】
2014126571.tif 000066
【図６５】
2014126571.tif 000067
【図６６】
2014126571.tif 000068
【図６７】
2014126571.tif 000069
【図６８】
2014126571.tif 000070
【図６９】
2014126571.tif 000071
【図７０】
2014126571.tif 000072
【図７１】
2014126571.tif 000073
【図７２】
2014126571.tif 000074
【図７３】
2014126571.tif 000075
【図７４】
2014126571.tif 000076
【図７５】
2014126571.tif 000077
【図７６】
2014126571.tif 000078
【図７７】
2014126571.tif 000079
【図７８】
2014126571.tif 000080
【図７９】
2014126571.tif 000081
【図８０】
2014126571.tif 000082
【図８１】
2014126571.tif 000083
【図８２】
2014126571.tif 000084
【図８３】
2014126571.tif 000085
【図８４】
2014126571.tif 000086
【図８５】
2014126571.tif 000087
【図８６】
2014126571.tif 000088
【図８７】
2014126571.tif 000089
【図８８】
2014126571.tif 000090
【図８９】
2014126571.tif 000091
【図９０】
2014126571.tif 000092
【図９１】
2014126571.tif 000093
【図９２】
2014126571.tif 000094
【図９３】
2014126571.tif 000095
【図９４】
2014126571.tif 000096
【図９５】
2014126571.tif 000097
【図９６】
2014126571.tif 000098
【図９７】
2014126571.tif 000099
【図９８】
2014126571.tif 000100
【図９９】
2014126571.tif 000101
【図１００】
2014126571.tif 000102
【図１０１】
2014126571.tif 000103
【図１０２】
2014126571.tif 000104
【図１０３】
2014126571.tif 000105
【図１０４】
2014126571.tif 000106
【図１０５】
2014126571.tif 000107
【図１０６】
2014126571.tif 000108
【図１０７】
2014126571.tif 000109
【図１０８】
2014126571.tif 000110
【図１０９】
2014126571.tif 000111
【図１１０】
2014126571.tif 000112
【図１１１】
2014126571.tif 000113
【図１１２】
2014126571.tif 000114
【図１１３】
2014126571.tif 000115
【図１１４】
2014126571.tif 000116
【図１１５】
2014126571.tif 000117
【図１１６】
2014126571.tif 000118
【図１１７】
2014126571.tif 000119
【図１１８】
2014126571.tif 000120
【図１１９】
2014126571.tif 000121
【図１２０】
2014126571.tif 000122
【図１２１】
2014126571.tif 000123
【図１２２】
2014126571.tif 000124
【図１２３】
2014126571.tif 000125
【図１２４】
2014126571.tif 000126
【図１２５】
2014126571.tif 000127
【図１２６】
2014126571.tif 000128
【図１２７】
2014126571.tif 000129
【図１２８】
2014126571.tif 000130
【図１２９】
2014126571.tif 000131
【図１３０】
2014126571.tif 000132
【図１３１】
2014126571.tif 000133
【図１３２】
2014126571.tif 000134
【図１３３】
2014126571.tif 000135
【図１３４】
2014126571.tif 000136
【図１３５】
2014126571.tif 000137
【図１３６】
2014126571.tif 000138
【図１３７】
2014126571.tif 000139
【図１３８】
2014126571.tif 000140
【図１３９】
2014126571.tif 000141
【図１４０】
2014126571.tif 000142
【図１４１】
2014126571.tif 000143
【図１４２】
2014126571.tif 000144
【図１４３】
2014126571.tif 000145
【図１４４】
2014126571.tif 000146
【図１４５】
2014126571.tif 000147
【図１４６】
2014126571.tif 000148
【図１４７】
2014126571.tif 000149
【図１４８】
2014126571.tif 000150
【図１４９】
2014126571.tif 000151
【図１５０】
2014126571.tif 000152
【図１５１】
2014126571.tif 000153
【図１５２】
2014126571.tif 000154
【図１５３】
2014126571.tif 000155
【図１５４】
2014126571.tif 000156
【図１５５】
2014126571.tif 000157
【図１５６】
2014126571.tif 000158
【図１５７】
2014126571.tif 000159
【図１５８】
2014126571.tif 000160
【図１５９】
2014126571.tif 000161
【図１６０】
2014126571.tif 000162
【図１６１】
2014126571.tif 000163
【図１６２】
2014126571.tif 000164
【図１６３】
2014126571.tif 000165
【図１６４】
2014126571.tif 000166
【図１６５】
2014126571.tif 000167
【図１６６】
2014126571.tif 000168
【図１６７】
2014126571.tif 000169
【図１６８】
2014126571.tif 000170
【図１６９】
2014126571.tif 000171
【図１７０】
2014126571.tif 000172
【図１７１】
2014126571.tif 000173
【図１７２】
2014126571.tif 000174